(57)【要約】【課題】電池の着脱が容易であると共に、電池に水が接触することを防止できるガス炊飯器を提供する。【解決手段】電池電源でガスの点火を行うガス炊飯器１であって、下部筐体３及び上部筐体を備える。下部筐体３の底部には開口部３４が設けられる。開口部３４の内側には電池ケース１０が収容される。電池ケース１０は装着口１０２が設けられる。電池ケース１０は装着口１０２を下向きにした姿勢で開口部３４の内側に収容される。使用者は、開口部３４を介して装着口１０２から電池をそのまま取り出し、又はそのまま装着できる。従って、電池の着脱時の作業性が向上する。また、仮に内釜から吹き零れた水が、下部筐体３の外周面を伝ってきた場合に、電池ケース１０が下部筐体３の底部にあるので、電池に水が接触するリスクを軽減できる。従って、漏電や電池の劣化を防ぐことができる。【選択図】図４
2020010928.tif 000002
【特許請求の範囲】
【請求項１】
被調理物を収容する内釜と、前記内釜の下側に設けられ、前記内釜を加熱するバーナと、有底筒状に形成され、前記バーナ及び前記内釜を内側に収容する筐体とを備えたガス炊飯器において、
前記筐体の底部に設けられた開口部と、
電池の装着口を備え、前記装着口を下向きにした姿勢で、前記開口部の内側に収容して設けられる電池ケースと
を備えたこと
を特徴とするガス炊飯器。
【請求項２】
前記筐体の前記底部には、ガード部材が固定され、
前記ガード部材は、前記開口部の内側において、少なくとも前記電池ケースの外周面を取り囲む筒状部を備えること
を特徴とする請求項１に記載のガス炊飯器。
【請求項３】
前記筐体の内側には、前記装着口を下向きにした姿勢で、前記電池ケースを前記開口部の内側において支持する支持部材が設けられ、
前記ガード部材の前記筒状部は、前記開口部の内縁部と前記電池ケースの外周面との隙間に挿入され、前記支持部材に支持された前記電池ケースを内側に配置すること
を特徴とする請求項２に記載のガス炊飯器。
【請求項４】
前記ガード部材が前記筐体の前記底部に固定された状態で、前記筒状部の下端部は、前記開口部より下方に突出していること
を特徴とする請求項２又は３に記載のガス炊飯器。
【請求項５】
前記ガード部材が前記筐体の前記底部に固定された状態で、前記筒状部の前記下端部には、前記開口部の外方に張り出し、且つ前記底部に対して下方から重なる張出部が設けられたこと
を特徴とする請求項２〜４の何れかに記載のガス炊飯器。
【請求項６】
前記張出部の外周部の少なくとも一部には、下方に突出する突出部が設けられたこと
を特徴とする請求項５に記載のガス炊飯器。
【請求項７】
前記電池ケースは、ハーネスと接続する端子部を有し、
前記筒状部は、前記電池ケースの前記外周面及び前記端子部を取り囲むこと
を特徴とする請求項２〜６の何れかに記載のガス炊飯器。
【発明の詳細な説明】
【技術分野】
【０００１】
本発明は、ガス炊飯器に関する。
【背景技術】
【０００２】
従来、ガスの燃焼熱により炊飯を行うガス炊飯器が知られている（例えば、特許文献１参照）。例えば、商用電源を用いないガス炊飯器では、点火スイッチが操作されると、ガス通路が開き、ガスバーナの炎孔部からガスが噴出され、このガスが操作によって生じる火花により点火され、バーナの燃焼が開始され、米と水が収容された内釜が熱せられる。この火花は、例えば、圧電点火装置によって生じさせることができる。圧電点火装置は、点火スイッチの操作によって圧電素子から生じる起電力に基づき、火花を発生させる。温度を検出する感熱ヘッドが内釜の底面に接触しており、内釜の温度が所定温度に達すると、ガス通路が閉じて燃焼が停止され、炊飯が完了する。
【先行技術文献】
【特許文献】
【０００３】
【特許文献１】意匠登録第８７２７５９号公報
【発明の概要】
【発明が解決しようとする課題】
【０００４】
圧電点火装置を備えたガス炊飯器では、点火スイッチの操作に応じて起電力が変化するので、起電力が弱いと火花を良好に発生させることができず、火が付きにくいという問題点があった。そこで、例えば、電池で駆動するイグナイタを用いることにより、火花を安定して発生させることが考えられる。しかしながら、電池は電池残量の低下に応じて都度交換する必要があることから、電池の着脱が容易なガス炊飯器の開発が求められていた。さらに、電池を用いることから、内釜からの吹き零れ等の水が、電池に接触しないように対策を講じる必要があった。
【０００５】
本発明の目的は、電池の着脱が容易であると共に、電池に水が接触することを防止できるガス炊飯器を提供することである。
【課題を解決するための手段】
【０００６】
請求項１に係る発明のガス炊飯器は、被調理物を収容する内釜と、前記内釜の下側に設けられ、前記内釜を加熱するバーナと、有底筒状に形成され、前記バーナ及び前記内釜を内側に収容する筐体とを備えたガス炊飯器において、前記筐体の底部に設けられた開口部と、電池の装着口を備え、前記装着口を下向きにした姿勢で、前記開口部の内側に収容して設けられる電池ケースとを備えたことを特徴とする。
【０００７】
請求項２に係る発明のガス炊飯器は、請求項１に記載の構成に加え、前記筐体の前記底部には、ガード部材が固定され、前記ガード部材は、前記開口部の内側において、少なくとも前記電池ケースの外周面を取り囲む筒状部を備えることを特徴とする。
【０００８】
請求項３に係る発明のガス炊飯器は、請求項２に記載の構成に加え、前記筐体の内側には、前記装着口を下向きにした状態で、前記電池ケースを前記開口部の内側において支持する支持部材が設けられ、前記ガード部材の前記筒状部は、前記開口部の内縁部と前記電池ケースの外周面との隙間に挿入され、前記支持部材に支持された前記電池ケースを内側に配置することを特徴とする。
【０００９】
請求項４に係る発明のガス炊飯器は、請求項２又は３に記載の構成に加え、前記ガード部材が前記筐体の前記底部に固定された状態で、前記筒状部の下端部は、前記開口部より下方に突出していることを特徴とする。
【００１０】
請求項５に係る発明のガス炊飯器は、請求項２〜４の何れかに記載の構成に加え、前記ガード部材が前記筐体の前記底部に固定された状態で、前記筒状部の前記下端部には、前記開口部の外方に張り出し、且つ前記底部に対して下方から重なる張出部が設けられたことを特徴とする。
【００１１】
請求項６に係る発明のガス炊飯器は、請求項５に記載の構成に加え、前記張出部の外周部の少なくとも一部には、下方に突出する突出部が設けられたことを特徴とする。
【００１２】
請求項７に係る発明のガス炊飯器は、請求項２〜６の何れかに記載の構成に加え、前記電池ケースは、ハーネスと接続する端子部を有し、前記筒状部は、前記電池ケースの前記外周面及び前記端子部を取り囲むことを特徴とする。
【発明の効果】
【００１３】
請求項１に係る発明のガス炊飯器によれば、筐体の底部には開口部が設けられ、その開口部の内側には、電池の装着口を下向きにした姿勢で電池ケースが収容して設けられる。よって、使用者は、筐体の底部に設けられた開口部を介して、装着口から電池をそのまま取り出し、又はそのまま装着できるので、電池着脱時の作業性が向上する。また、内釜から水が吹き零れて筐体の外周面に付着した場合でも、開口部が底部にあるので、該開口部を介して電池ケースの内側に水が侵入し、電池と接触するリスクを軽減できる。従って、漏電や電池の劣化を防ぐことができる。また、電池ケースの装着口を内側に収容する開口部を筐体の側部ではなく、底部に設けたことで、開口部を介して露出する電池ケースを目立たなくできるので、ガス炊飯器の美観を向上できる。なお、電池ケースの収容方法として、筐体の内側に収容される電池ケースをスライドして取り出す方式もあるが、本態様においては、筐体の底部に設けた開口部から直接取り出すことができるので、スライド機構を必要としない。よって、その分だけ省スペース化が可能であるので、筐体を小型化できる。
【００１４】
請求項２に係る発明のガス炊飯器によれば、請求項１に記載の効果に加え、筐体の底部にガード部材を固定した状態では、ガード部材の筒状部は、開口部の内側において電池ケースを取り囲む。これにより、仮に内釜から吹き零れた水が、筐体の側面を伝って下方に流れ、底部側に流れた場合でも、筒状部が水を遮るので、電池ケース内の電池に水が接触するのを防止できる。
【００１５】
請求項３に係る発明のガス炊飯器によれば、請求項２に記載の効果に加え、ガス炊飯器の筐体には、支持部材が設けられる。支持部材は、筐体の開口部の内側において、装着口を下向きにした状態で、電池ケースを支持する。ガード部材の筒状部は、開口部の内縁部と電池ケースの外周面の隙間に挿入され、支持部材に支持された前記電池ケースを内側に配置する。故に、開口部の内縁部と電池ケースの外周面との隙間を筒状部で埋めることができる。これにより、筐体の側面及び底部を伝って流れた吹き零れ等の水が、開口部の内縁部と電池ケースの外周面との隙間を介して、電池ケースに到達してしまうのを防止できる。従って、電池ケース内の電池に水が接触するのを防止できる。また、電池ケースは、筐体の内側に設けられた支持部材によって開口部の内側において支持されるので、開口部の内側における位置が固定される。よって、開口部の内縁部と電池ケースの外周面との隙間を確保できる。そして、開口部の内縁部と電池ケースの外周面の夫々が、ガード部材の筒状部のガイドとして機能する。これにより、開口部の内縁部と電池ケースの外周面との隙間に筒状部を挿入するだけで、該筒状部の内側に電池ケースが配置されるので、ガード部材を筐体の底部に対して容易に位置決めして固定できる。
【００１６】
請求項４に係る発明のガス炊飯器によれば、請求項２又は３に記載の効果に加え、ガード部材が筐体の底部に固定された状態で、筒状部の下端部は、開口部より下方に突出している。これにより、吹き零れ等の水が筐体の底部に伝ってきた場合に、筒状部が、電池ケースへの水の侵入を遮り、水を下方に滴下させ易くなる。また、水を多く使用する炊事場であって、飛び散った水が筐体の底部に付着した場合でも、筒状部が電池ケースに対する壁となる。従って、電池ケース内の電池に水が接触することを防止できる。
【００１７】
請求項５に係る発明のガス炊飯器によれば、請求項２〜４の何れかに記載の効果に加え、筒状部の下端部には、張出部が開口部の外方に張り出し、且つ底部に対して下方から重なって設けられる。張出部は底面と重なっているので、筐体の外周面を伝ってきた吹き零れ等の水が開口部を介して筐体の内側に侵入することを防ぐ。従って、電池ケース内の電池に水が接触することを防止できる。
【００１８】
請求項６に係る発明のガス炊飯器によれば、請求項５に記載の効果に加え、突出部が、張出部の外周部の少なくとも一部に、下方に突出して設けられる。これにより、筐体の外周面を伝ってきた吹き零れ等の水は、張出部の外周部に設けられた突出部と接触する。突出部は、水が開口部を介して筐体の内側に侵入するのを遮り、水を下方に滴下させ易くする。また、水を多く使用する炊事場であって、飛び散った水が筐体の底部に付着した場合でも、突出部が壁となる。従って、電池ケース内の電池に水が接触することを防止できる。
【００１９】
請求項７に係る発明のガス炊飯器によれば、請求項２〜６の何れかに記載の効果に加え、電池ケースの漏電に係る端子部を筒状部が取り囲んでいるので、端子部と筐体の内外を伝ってきた水との接触を防ぐことができる。
【００２０】
なお、本発明は、請求項１〜７に記載された発明特定事項の一部を任意に組み合わせてもよい。
【図面の簡単な説明】
【００２１】
【図１】ガス炊飯器１の斜視図である。
【図２】ガス炊飯器１の底面図である。
【図３】図２に示すガス炊飯器１のＩ−Ｉ線矢視方向断面図である。
【図４】図３に示すガス炊飯器１の断面図に於ける電池ケース１０とガード部材１１の周囲の部分拡大図である。
【図５】下部筐体３の斜視図である。
【図６】電池ケース１０の右斜め上方から見た斜視図である。
【図７】電池ケース１０の下方から見た斜視図である。
【図８】ガード部材１１の右斜め上方から見た斜視図である。
【図９】ガード部材１１の右斜め下方から見た斜視図である。
【図１０】電池ケース１０とガード部材１１を組み合わせた状態の右斜め上方から見た斜視図である。
【図１１】電池ケース１０とガード部材１２を組み合わせた状態の右斜め上方から見た斜視図である。
【発明を実施するための形態】
【００２２】
以下、本発明の実施形態を説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２３】
図１、図２を参照し、ガス炊飯器１の外観構造を説明する。ガス炊飯器１は、筐体２、蓋部５、把持部６を備える。筐体２は、下部筐体３及び上部筐体４を備える。下部筐体３は金属製であり、後述する上部筐体４よりも底の浅い略有底円筒状である。図２に示すように、下部筐体３の底部には、三本の脚部３３、開口部３４、及び複数の空気孔３５が設けられる。
【００２４】
開口部３４は、下部筐体３の底部の左側に設けられ、底面視前後方向に長い略矩形状に形成されている（図２参照）。開口部３４の大きさは、後述する電池ケース１０の収容部１００よりも大きい。開口部３４の内側には、電池ケース１０の装着口１０２が対向して配置されている。
【００２５】
下部筐体３の底部には、開口部３４の内縁部と電池ケース１０の外周面との間の隙間を塞ぐようにして、ガード部材１１が固定されている。ガード部材１１は、内釜８から吹き零れた水等が筐体２の外周面及び下部筐体３の底部を伝って、開口部３４から装着口１０２に到達することを防止する。
【００２６】
三本の脚部３３は、下部筐体３を下から支持する。三本の脚部３３のうち、下部筐体３の底部における右後方部と左後方部に設けられた二本の脚部３３は、下方に突出する略円筒状に形成される。前側部に設けられた脚部３３は、下方に突出し、且つ左右方向に延びるリブ状に形成される。複数の空気孔３５は、下部筐体３に一面に設けられ、下部筐体３の内側に外気を取り込む。
【００２７】
下部筐体３の外周面における前側の下部には、点火スイッチ３１とガス量調節つまみ３２が設けられる。点火スイッチ３１は、押し下げ可能に設けられ、使用者により押し下げられることで、後述するバーナ７２の点火動作が開始する。ガス量調節つまみ３２は、点火スイッチ３１の右側に設けられる。ガス量調節つまみ３２は、上下方向に移動自在に設けられ、バーナ７２へ流入するガス量を調節することにより、バーナ７２の火力を調節できる。下部筐体３の右側下部には、管貫通口３６が設けられ、管貫通口３６から外側に向かって、ガス供給管７６が突出する。
【００２８】
上部筐体４は金属製であり、下部筐体３と同径の略円筒状である。上部筐体４は、下部筐体３の上部に同軸となるように載置して取り付けられる。上部筐体４は、確認窓４１、複数の排出口４２、蓋軸支部４３、蓋固定部４４、及び解除ボタン４６を備える。確認窓４１は、上部筐体４下部の前側に設けられる。確認窓４１は、上下方向に延びる三つのスリットからなる。三つのスリットは、横並びに並んで配置されている。使用者は、確認窓４１を介して、ガス炊飯器１の外部からバーナ７２におけるガスの燃焼状態を確認できる。複数の排出口４２は、上部筐体４上部において周方向に間隔を空けて設けられ、外周方向に延びる細長いスリット状に形成される。バーナ７２によるガスの燃焼で発生する燃焼ガスは、排出口４２を介して、ガス炊飯器１の外部へ排出される。
【００２９】
蓋軸支部４３は、上部筐体４上部の後側に設けられる。蓋軸支部４３は、蓋部５の後側に設けられた筐体接続部５５を回動可能に軸支する。蓋固定部４４は、上部筐体３上部の前側に設けられる。蓋固定部４４は、上部筐体４の開口する上部を蓋部５で閉じた状態において、蓋部５の前側に設けられた被蓋固定部５４に係合して固定する。解除ボタン４６は、蓋固定部４４の上部に押し上げ可能に設けられる。解除ボタン４６は、使用者によって押し上げられることで、蓋固定部４４による被蓋固定部５４への係合を解除する。
【００３０】
蓋部５は、上部筐体４の上部において蓋軸支部４３を支点に開閉可能に設けられ、平面視略円形状に形成される。蓋部５は、上記の被蓋固定部５４及び筐体接続部５５に加え、上蓋５１、内蓋５２、及び蓋連結部５３等を備える（図１〜図３参照）。上蓋５１は金属製であり、上部筐体４と同径の平面視略円形状に形成される。内蓋５２は金属製であり、後述する内釜８のフランジ部８１の内径と同径の平面視略円形状に形成される。内蓋５２は、蓋連結部５３によって、上蓋５１の下面側に着脱可能に連結される。上部筐体４の開口する上部を蓋部５で閉じた状態では、内蓋５２は、内釜８の上部開口を閉じる。
【００３１】
把持部６は、上部筐体４の外周面における左右両側の上部に対し、その両端部が回動可能に取り付けられる。把持部６は、上方に回動させた状態を正面から視ると、略逆Ｕ字状に形成される。把持部６は、使用者がガス炊飯器１を持ち運びする際に把持される。
【００３２】
図３〜５を参照し、ガス炊飯器１の内部構造を説明する。下部筐体３の内側には、電池ケース１０、ガード部材１１、支持部材７１、バーナ７２、イグナイタ７４、ガス量調節装置７７等が設けられる。支持部材７１は、金属製の板部材を屈曲して形成され、上壁部７１１と複数の側壁部７１２を備える。上壁部７１１は平面視略矩形状に形成され、下部筐体３の底部から上方に離間した位置に浮いた状態で略水平に支持される。複数の側壁部７１２は、上壁部７１１の外周端から下方に垂下し、それらの各下端部が下部筐体３の底部に螺子止め固定され、上壁部７１１を支持する。
【００３３】
上壁部７１１は、電池ケース１０、バーナ７２、イグナイタ７４、温度センサ７５、及びガス量調節装置７７を固定する。上壁部７１１は、切欠き部７１３、仮固定スリット７１４、及び上壁部孔７１５を備える。図５に示すように、切欠き部７１３は、上壁部７１１の左端部の中央部分から右方に向けて平面視略矩形状に切欠いたように形成される。仮固定スリット７１４は、上壁部７１１における切欠き部７１３より後側に設けられる。上壁部孔７１５は、上壁部７１１における切欠き部７１３より前側に設けられる。仮固定スリット７１４と上壁部孔７１５は、切欠き部７１３を中央に挟んで前後方向に対向して設けられる。
【００３４】
バーナ７２は、上壁部７１１の上面の略中央部に固定され、上下方向に軸線を有する略リング状に形成される。バーナ７２は、外周面の上部に炎孔部７２１を備える。炎孔部７２１は、複数の炎孔が周方向に並ぶことによって形成され、ガス炊飯器１の外部より供給されるガスを噴出する。スロート部７８は、バーナ７２の後部から後方に突出し、且つ前方に平面視略逆Ｕ字状に屈曲されている。スロート部７８の前端部には、ガスの流入口（図示略）が設けられる。
【００３５】
バーナ７２の中央を上下方向に貫通する孔部には、略円筒状の感熱ヘッド７３が上下方向に出退可能に設けられる（図３、図５を参照）。感熱ヘッド７３には圧縮コイルバネ７３１が設けられる。圧縮コイルバネ７３１は、感熱ヘッド７３を上方に常時付勢する。従って、内釜８が上部筐体４の内側に支持された際に、感熱ヘッド７３の上部は内釜８の底部に密着して当接する。感熱ヘッド７３は、内釜８の底部の温度を検出する。感熱ヘッド７３は所定の温度に到達したことを検出すると、後述するガス量調節装置７７内に設けられたガス弁（図示略）が閉弁される。
【００３６】
イグナイタ７４は、上壁部７１１の上面の左側に固定され、切欠き部７１３の内側に配置される（図５を参照）。イグナイタ７４は、バーナ７２の点火装置であり、電池ケース１０に収容された電池を電源として駆動するので、火花を安定して生じさせることができる。イグナイタ７４は略円柱形状であり、先端部に点火部７４１を備える。点火部７４１は、バーナ７２の炎孔部７２１に臨むように配置され、バーナ７２との間で火花を生じることによって、炎孔部７２１から噴出するガスに点火する。
【００３７】
電池ケース１０は、上壁部７１１の下面に、仮固定スリット７１４及び上壁部孔７１５を介して固定される。電池ケース１０は、イグナイタ７４より左側に配置される（図５参照）。支持部材７１に固定された電池ケース１０の装着口１０２は、下向きに配置され、下部筐体３の開口部３４と対向する（図４参照）。従って、使用者は、下部筐体３の開口部３４を介して、電池ケース１０の装着口１０２から電池を着脱できる。
【００３８】
上壁部７１１の上面であって、イグナイタ７４の前方には温度センサ７５が固定される（図５を参照）。本実施形態では、温度センサ７５は熱電対である。温度センサ７５は、略円柱形状で、先端部に円錐状の熱感知部７５１を備える。熱感知部７５１は、バーナ７２の炎孔部７２１に臨むように配置される。
【００３９】
ガス量調節装置７７は、上壁部７１１の下面の右側に固定され、ガス供給管７６と接続される。ガス量調節装置７７は、ガス弁（図示略）、ニードル弁（図示略）及びノズル（図示略）を備える。ガス弁は、ガス量調節装置７７内のガス流路を開閉する。ニードル弁は、ガス量調節つまみ２３の上下動に対応して、ガス量調節装置７７内のガス流路を流れるガス量を連続的に増減する。ノズルは、スロート部７８の流入口と対向し、ガス量調節装置７７内のガス流路を流れたガスを該流入口に向けて噴出する。
【００４０】
なお、電池ケース１０を支持する構造を、バーナ７２等の主要な部品を支持する支持部材７１と別に設けるのではなく、支持部材７１に固定して共用させることによって、部品点数を増やすことなく、下部筐体３内において電池ケース１０を支持できる。
【００４１】
ガス供給管７６は、管貫通口３６より右方に向けて突出し、さらに後方にＬ字状に屈曲する。ガス供給管７６は、一端部がガス炊飯器１の外部よりガスを供給するガス管（図示略）と接続され、他端部は、上記の通りガス量調節装置７７と接続される。
【００４２】
受け皿９は、下部筐体３の上部に略水平に載置されて取り付けられる（図３参照）。受け皿９は金属製であり、平面視略リング状に形成され、その中央部には、円形状の受け皿孔９１を備える。受け皿孔９１の内側においては、バーナ７２、感熱ヘッド７３、点火部７４１及び熱感知部７５１が上方に突出して配置される。仮に内釜８から吹き零れた水が内釜８の外周面を伝ってきた場合に、受け皿９により、下部筐体３の内側に水が侵入することを防止できる。
【００４３】
上部筐体４の内側には、内釜８が収容された状態で支持される（図３参照）。内釜８は、金属製の有底円筒状である。内釜８には、被調理物である米と水が入れられる。内釜８は、胴部８０とフランジ部８１を備える。フランジ部８１は、胴部８０の上端部に径方向外側に突出して設けられる。
【００４４】
上部筐体４には内周面の上部から内方に張り出した、内釜支持部４５が設けられる（図３参照）。内釜支持部４５は平面視略リング状である。内釜支持部４５の内縁部の内径が、内釜８のフランジ部８１の外径よりも小さく、且つ内釜８の胴部８０の外径よりも大きい。従って、内釜８は、内釜支持部４５にて吊り下げられて支持され、且つ蓋部５を開いた状態で、上部筐体４の内側に着脱自在に設けられる。
【００４５】
ここで、ガス炊飯器１の炊飯時の動作を簡単に説明する。使用者により下部筐体３の点火スイッチ３１が押し下げられると、ガス量調節装置７７に設けられたガス弁が開弁する。バーナ７２にガスが供給される。イグナイタ７４は、点火スイッチ３１の押し下げられることにより動作し、イグナイタ７４の点火部７４１から火花を生じる。該火花によって、バーナ７２の炎孔部７２１から噴出するガスが点火される。温度センサ７５の熱感知部７５１がガスの燃焼熱を検出する。温度センサ７５の熱により生じた電力により該ガス弁が開弁状態で維持され、バーナ７２は燃焼状態が維持される。内釜８が熱せられ、炊飯が開始する。内釜８の底部が所定の温度に達すると、感熱ヘッド７３が該所定の温度を検出し、該ガス弁が閉弁される。バーナ７２へガスが供給されなくなり、バーナ７２の燃焼が停止し、炊飯が完了する。
【００４６】
図６、図７を参照し、電池ケース１０の構造を説明する。なお、本実施形態では、説明の便宜上、支持部材７１に支持された電池ケース１０の向きで説明する。電池ケース１０は、絶縁性のプラスチック製である。電池ケース１０は、収容部１００及び固定部１０１を備える。
【００４７】
収容部１００は、前後方向に延びる略直方体状で、その前後左右方向の大きさは下部筐体３の底部に設けられた開口部３４の大きさより小さい。収容部１００は、装着口１０２、一対の端子部１０３、一対のホルダ部１０７、一対のケーススリット１００Ａ、及び一対のケース孔１００Ｂを備える。一対のケーススリット１００Ａは、収容部１００の上面における前端部及び後端部に夫々設けられる。一対のケース孔１００Ｂは収容部１００の前壁の中央及び後壁の中央に設けられる。
【００４８】
図７に示すように、装着口１０２は、収容部１００の下部側に設けられる開口である。装着口１０２の大きさは、収容部１００に収容される電池の大きさと略同一である。使用者は、装着口１０２を介して、収容部１００に対して電池の着脱を行う。一対のホルダ部１０７は、収容部１００の左右の両側壁の夫々の下端部に、下端部側に向かって内側に傾斜して設けられる。各ホルダ部１０７の先端部は、左右方向に弾性変形可能である。一対のホルダ部１０７の夫々の先端部間の幅は、電池を収容部１００に収容した際に、電池が脱落しない程度の幅で設けられる。図４に示すように、電池ケース１０は、装着口１０２が下向きに開口した状態で支持部材７１に固定されるが、一対のホルダ部１０７により、収容部１００から電池が抜け落ちることを防止できる。
【００４９】
一対の端子部１０３は、導電性部材で形成され、収容部１００の前壁及び後壁に夫々設けられる。各端子部１０３は、電池当接部１０３Ａ及びハーネス接続部１０３Ｂを備える。前壁に設けた端子部１０３の電池当接部１０３Ａは電池の負極と接触し、後壁に設けた端子部１０３の電池当接部１０３Ａは電池の正極と接触する。各電池当接部１０３Ａの一部は、収容部１００の前壁及び後壁に夫々設けられたケース孔１００Ｂを介して外部に露出する。
【００５０】
ハーネス接続部１０３Ｂは、電池当接部１０３Ａの上部に設けられ、正面視略矩形状に形成される。ハーネス接続部１０３Ｂは、収容部１００の内側よりケーススリット１００Ａを介して上方に突出して、イグナイタ７４より延びるハーネス（図示略）と接続する。ケーススリット１００Ａを介して突出したハーネス接続部１０３Ｂの高さは、後述するケース固定筒部１０５より低い。
【００５１】
固定部１０１は、収容部１００の底壁の上面における前後方向の中央部に設けられ、略直方体状に上方に突出している。固定部１０１は、鉤部１０４、ケース固定筒部１０５、Ｕ字溝１０６、及びケースリブ１０８を備える。ケース固定筒部１０５は、固定部１０１の前面に沿って設けられ、上下方向に延設された略円筒状に形成され、上方に突出する。ケース固定筒部１０５の上端部には、ケース固定孔１０５Ａが設けられる。ケース固定孔１０５Ａの内側には、雌螺子が形成される。鉤部１０４は、固定部１０１の上面の後側部から上方に突出し、その上端部には、係止部１０４Ａが設けられる。係止部１０４Ａは、鉤部１０４の後面上部から後方に突出して設けられ、底面が略水平の側面視略直角三角形状である。収容部１００の上面から係止部１０４Ａの底面までの高さは、同上面からケース固定筒部１０５の上端部の高さと略同一である。
【００５２】
Ｕ字溝１０６は、固定部１０１の上面の前後方向の中央部に設けられ、側面視略Ｕ字状に形成される。Ｕ字溝１０６の溝幅は、支持部材７１の切欠き部７１３の前後方向の隙間の幅より若干短い程度で、ほぼ等しい長さである。Ｕ字溝１０６は、電池ケース１０が支持部材７１に固定された状態で、切欠き部７１３に対して下方から対向するよう位置に配置される。Ｕ字溝１０６の内側にイグナイタ７４等が配置されるので、該イグナイタ７４等に固定部１０１が干渉するのを防止できる。
【００５３】
一対のケースリブ１０８は、固定部１０１の上面においてＵ字溝１０６を前後方向の中央に挟む位置に夫々設けられ、上方にリブ状に突出する。ケースリブ１０８の突出する高さは、ケース固定筒部１０５の上端部と同一高さである。また、ケースリブ１０８の左右方向の長さは、固定部１０１の上面の左右方向の長さと同一である。ケースリブ１０８の上端部は、略水平に形成される。支持部材７１の上壁部７１１に電池ケース１０が固定された状態で、一対のケースリブ１０８は、上壁部７１１の下面に対して密着して夫々当接される。従って、電池ケース１０は上壁部７１１の下面に対してがたつくことなく固定できる。
【００５４】
電池ケース１０の支持部材７１への取り付け方法の一例を説明する。作業者は、電池ケース１０の装着口１０２を下向きにした状態で、支持部材７１の上壁部７１１の下側に配置する。そして、上壁部７１１の仮固定スリット７１４に対し、電池ケース１０の鉤部１０４を位置決めし、上壁部７１１の上壁部孔７１５に対し、電池ケース１０のケース固定筒部１０５の上端部を位置決めする。次いで、仮固定スリット７１４に対して鉤部１０４を下方から挿入して、上壁部７１１に鉤部１０４の係止部１０４Ａを係合させて仮固定する。ケース固定筒部１０５の上端部及び一対のケースリブ１０８を上壁部７１１に密着して当接する。さらに、上壁部孔７１５を介してケース固定筒部１０５のケース固定孔１０５Ａに螺子７１６にて締結する。電池ケース１０は、支持部材７１に固定される。
【００５５】
図８、図９を参照し、ガード部材１１の構造を説明する。なお、本実施形態では、説明の便宜上、下部筐体３に固定されたガード部材１１の向きで説明する。ガード部材１１は、プラスチック製である。ガード部材１１は、耐水性、耐熱性を有することが望ましい。ガード部材１１は、下部筐体３に固定された状態で、内側に電池ケース１０を配置する（図４、図１０参照）。
【００５６】
ガード部材１１は、筒状部１１０、張出部１１１、突出部１１２、ガード固定孔１１３、及びテーパ部１１４を有する。筒状部１１０は、略角筒状で、外周の大きさが下部筐体３の開口部３４の大きさより若干小さい程度で、ほぼ等しい大きさである。また、筒状部１１０の内周の大きさは、電池ケース１０の収容部１００の前後左右方向の大きさより若干大きい程度で、ほぼ等しい大きさである。従って、筒状部１１０の板厚は、下部筐体３の開口部３４と収容部１００の外周面との隙間の幅より若干短い程度で、ほぼ等しい長さである。筒状部１１０の高さは、収容部１００の高さと略同一である。
【００５７】
張出部１１１は、筒状部１１０の下端部から外方に張り出して設けられ、平面視略矩形状である。張出部１１１の左側の外周部は緩やかに湾曲する円弧状に形成される。張出部１１１の上面は、略水平である。張出部１１１の大きさは、ガード部材１１が下部筐体３の底部に固定された状態で、下部筐体３の底部から側方に張り出さず、脚部３３及び空気孔３５等に干渉しない。張出部１１１の左側の外周部は緩やかに湾曲しており、下部筐体３の底部から張り出さない。筒状部１１０の内壁面の下端部と張出部１１１との接続部には、筒状部１１０側から張出部１１１側に向かって拡がるように外側に傾斜するテーパ部１１４が設けられる。
【００５８】
突出部１１２は、張出部１１１の下面における左側の外周部に設けられ、下方に突出している。突出部１１２の下方に突出する長さは、脚部３３より短い。ガード部材１１が下部筐体３の底部に固定された状態では、突出部１１２は、下部筐体３底部の外周部側に位置する。
【００５９】
ガード固定孔１１３は、張出部１１１の右前方角部に設けられる。なお、下部筐体３の底部には、ガード固定孔１１３に対応する位置に筐体側孔（図示略）が設けられる。ガード固定孔１１３は、ガード部材１１が下部筐体３に固定された状態で、下部筐体３底部の中央側に位置する。従って、ガード固定孔１１３は、下部筐体３の底部を伝ってきた吹き零れ等の水が接触し難い位置にある。よって、ガード固定孔１１３を介してガード部材１１を下部筐体３に対して固定する螺子３７（図２参照）が腐食することを防止できる。
【００６０】
ガード部材１１の下部筐体３の底部への取り付け方法を説明する。作業者は、下部筐体３の底部を上方に向けた状態で、ガード部材１１の筒状部１１０の上端部が下向きにした状態で該底部の上側に配置する。そして、該底部に設けられた開口部３４に対し、ガード部材１１の筒状部１１０を上方から位置決めする。上記の通り、筒状部１１０の板厚は、下部筐体３の開口部３４と収容部１００の外周面との隙間の幅より若干短い程度で、ほぼ等しい長さである。よって、筒状部１１０は、開口部３４の内縁部と収容部１００の外周面との隙間を遊挿可能である。
【００６１】
そして、開口部３４の内縁部と収容部１００の外周面の夫々が、該隙間に対して筒状部１１０を挿入する際に、筒状部１１０のガイドとして機能させることができる。筒状部１１０を該隙間に挿入する。ここで上記の通り、張出部１１１の上面は略水平であり、下部筐体３の底部も開口部３４周辺で略水平である。従って、筒状部１１０を該隙間に挿入していくと、張出部１１１の上面が下部筐体３の底部と密着して重なる。このとき、ガード固定孔１１３は、下部筐体３に設けられた筐体側孔と重なり配置されるので、ガード固定孔１１３を介して筐体側孔に螺子３７を締結する。これにより、ガード部材１１は、下部筐体３の底部に固定される。
【００６２】
ガード部材１１は、下部筐体３に固定された状態で、筒状部１１０の内側に電池ケース１０を配置する。上記の通り、筒状部１１０の板厚は、下部筐体３の開口部３４と収容部１００の外周面との隙間の幅より若干短い程度で、ほぼ等しい長さである。従って、筒状部１１０は、開口部３４の内縁部と収容部１００の外周面との隙間を塞ぐ。また、筒状部１１０の高さは、収容部１００の高さと略同一であるので、筒状部１１０は、収容部１００の外周面の全体を取り囲む。よって、筒状部１１０は、収容部１００の前壁及び後壁に夫々設けた一対のケース孔１００Ｂを取り囲むことができるので、ケース孔１００Ｂにおいて外部に露出する電池当接部１０３Ａの一部を覆い隠すことができる。
【００６３】
上記構成を備えるガス炊飯器１において、下部筐体３の底部には開口部３４が設けられ、開口部３４の内側には、電池の装着口１０２を下向きにした姿勢で電池ケース１０が収容して設けられる。よって、使用者は、下部筐体３の底部に設けられた開口部３４を介して装着口１０２から電池をそのまま取り出し、又はそのまま装着できるので、電池着脱時の作業性が向上する。また、内釜８から水が吹き零れて筐体２の外周面に付着しても、開口部３４が底部にあるので、開口部３４を介して電池ケース１０の内側に水が侵入し、電池と接触するリスクを軽減できる。従って、漏電や電池の劣化を防ぐことができる。
【００６４】
また、電池ケース１０を下部筐体３の底部に設けたことで、開口部３４を介して露出する電池ケース１０を目立たなくできるので、ガス炊飯器１の美観を向上できる。なお、電池ケース１０の収容方法として、下部筐体３の内側に電池ケース１０を設けてスライドして取り出す方式もあるが、本実施形態においては、下部筐体３の底部に設けた開口部３４から電池を直接取り出すことができるので、スライド機構を必要としない。その分だけ省スペース化が可能であるので、下部筐体３を小型化できる。
【００６５】
さらに、下部筐体３の底部の開口部３４には、ガード部材１１が固定される。ガード部材１１は、開口部３４の内側において電池ケース１０の収容部１００の外周面を取り囲む筒状部１１０を有する。即ち、電池当接部１０３Ａの一部が収容部１００のケース孔１００Ｂを介して露出しているが、筒状部１１０は露出部分を覆う。仮に内釜８から吹き零れた水が、筐体２の側面を伝って下方に流れ、下部筐体３の底部側に流れた場合でも、筒状部１１０が水を遮る。よって、電池ケース１０内の電池及び該露出部分に水が接触するのをさらに防止できる。
【００６６】
さらに、下部筐体３の内側には、支持部材７１が設けられる。支持部材７１は、下部筐体３の開口部３４の内側において、電池ケース１０の装着口１０２が開口部３４に対向した状態で、電池ケース１０を支持する。ガード部材１１の筒状部１１０は、開口部３４の内縁部と電池ケース１０における収容部１００の外周面の隙間に挿入され、支持部材７１に支持された収容部１００を内側に配置する。従って、開口部３４の内縁部と収容部１００の外周面との隙間を筒状部１１０で埋めることができる。これにより、筐体２の側面及び下部筐体３の底部を伝って流れた吹き零れた水等が、開口部３４の内縁部と収容部１００の外周面との隙間を介して、電池ケース１０に到達してしまうのを防止できる。従って、電池ケース１０内の電池及び収容部１００より露出した導電性部材である電池当接部１０３Ａに水が接触するのをさらに防止できる。
【００６７】
さらに、電池ケース１０は、支持部材７１によって開口部３４の内側において支持されるので、開口部３４の内側における位置が固定される。よって、開口部３４の内縁部と収容部１００の外周面との隙間を確保できる。そして、ガード部材１１を下部筐体３に固定する際、開口部３４の内縁部と収容部１００の外周面の夫々が、筒状部１１０を挿入するガイドとして機能する。これにより、開口部３４の内縁部と収容部１００の外周面との隙間に筒状部１１０を挿入するだけで、筒状部１１０の内側に収容部１００が配置されるので、ガード部材１１を下部筐体３の底部に対して容易に位置決めして固定できる。
【００６８】
さらに、本実施形態では、筒状部１１０の下端部より張出部１１１が外方に張り出し、且つ下部筐体３の底部に対して下方から重なって設けられる。張出部１１１は、下部筐体３の底面と重なっているので、下部筐体３の底部を伝ってきた吹き零れた水等が開口部３４を介して下部筐体３の内側に侵入を防止できる。従って、電池ケース１０内の電池及び収容部１００より露出した導電性部材である電池当接部１０３Ａに水が接触することをさらに防止できる。
【００６９】
さらに、突出部１１２が、張出部１１１の外周部の一部に、下方に突出して設けられる。突出部１１２は、下部筐体３の外周面を伝ってきた吹き零れた水等がまず張出部１１１と接触する位置に設けられる。突出部１１２は、開口部３４を介して下部筐体３の内側に水が侵入するのを遮り、水を下方に滴下させ易くする。また、水を多く使用する炊事場であって、下部筐体３の底部に水が飛散してきた場合でも、突出部１１２が壁となる。従って、電池ケース１０内の電池及び収容部１００より露出した導電性部材である電池当接部１０３Ａに水が接触することをさらに防止できる。
【００７０】
さらに、電池ケース１０の収容部１００から突出した端子部１０３のハーネス接続部１０３Ｂの上面は、下部筐体３の内側に設けられた支持部材７１の上壁部７１１によって覆われている。従って、仮に内釜８から吹き零れた等の水が受け皿９でも受けきれず、溢れて下部筐体３の内側に流れ伝ってきても、上壁部７１１によって、導電性部材であるハーネス接続部１０３Ｂと水との接触を防止できる。また、電池ケース１０を支持する構造を、バーナ７２等の主要な部品を支持する支持部材７１と別に設けるのではなく、支持部材７１に固定して共用させることによって、部品点数を増やすことなく、下部筐体３内において電池ケース１０を支持できる。
【００７１】
なお、本発明は上記実施形態に限定されるものではなく、種々の変更が可能である。例えば、図１０に示すように、上記実施形態のガード部材１１の筒状部１１０は、電池ケース１０の収容部１００を取り囲むが、収容部１００のみならず、電池ケース１０の収容部１００から突出した端子部１０３のハーネス接続部１０３Ｂまでを取り囲んでよい。
【００７２】
図１１を参照し、ガード部材１１の変形例であるガード部材１２の構造を説明する。ガード部材１２は、筒状部１２０、張出部１２１、突出部１２２、及びガード固定孔１２３を有する。なお、張出部１２１、突出部１２２、及びガード固定孔１２３は、ガード部材１１の、張出部１１１、突出部１１２、及びガード固定孔１１３と夫々対応し、同様の構造であるため、説明は省略する。筒状部１２０は、その高さ以外の形状は全てガード部材１１の筒状部１１０と同一である。ガード部材１２を下部筐体３に取り付けた状態において、筒状部１２０は、支持部材７１の上壁部７１１と干渉せずに、電池ケース１０の収容部１００のみならず、該収容部１００から上方に突出した一対のハーネス接続部１０３Ｂまでも取り囲むことができる。これにより、ガード部材１２は、電池当接部１０３Ａのみならず、ハーネス接続部１０３Ｂに水が接触するのを防止できる。
【００７３】
ガード部材１１（１２）は、張出部１１１（１２１）を省略してもよい。この場合、筒状部１１０（１２０）の下端部が下部筐体３の開口部３４より下方に突出している。これにより、吹き零れた水等が下部筐体３の底部に伝ってきた場合に、筒状部１１０（１２０）が、電池ケース１０への水の侵入を遮り、水を下方に滴下させ易くなる。また、水を多く使用する炊事場であって、飛び散った水が下部筐体３の底部に付着した場合でも、筒状部１１０（１２０）が電池ケース１０に対する壁となる。従って、電池ケース１０内の電池及び収容部１００より露出した導電性部材である電池当接部１０３Ａに水が接触することを防止できる。
【００７４】
開口部３４の形状は平面視略矩形状でなくてもよく、下部筐体３の底部であって脚部３３や空気孔３５等に干渉しなければよい。収容部１００の形状は略直方体状でなくてもよく、装着口１０２を介して電池を収容できればよい。ガード部材１１（１２）の筒状部１１０（１２０）の形状は、下部筐体３の開口部３４及び電池ケース１０の収容部１００の形状により決まる。
【００７５】
突出部１１２（１２２）を張出部１１１（１２１）の下面における外周全体に設けてもよい。また、突出部１１２（１２２）は張出部１１１（１２１）の下面における外周以外に設けてもよい。一例として、突出部１１２（１２２）を筒状部１１０（１２０）の下端部に設けてもよい。別の例として、ガード固定孔１１３（１２３）の周囲を取り囲むように突出部１１２（１２２）を設けてもよい。この場合、ガード固定孔１１３（１２３）を介してガード部材１１（１２）を下部筐体３に対して固定する螺子３７が腐食することを防止できる。
【００７６】
電池ケース１０の支持部材７１への固定は、本実施形態以外の方法でも良い。一例として、電池ケース１０の固定部１０１において、鉤部１０４の代わりに、ケース固定筒部１０５と同形状の第二のケース固定筒部（図示略）を設け、ケース固定筒部１０５と同様に、第二のケース固定筒部を支持部材７１の上壁部７１１に対してネジ止め固定してもよい。
【００７７】
ガード部材１１（１２）のガード固定孔１１３（１２３）は、複数設けてもよく、また設けなくてもよい。ガード固定孔１１３（１２３）を設けない場合、ガード部材１１（１２）は別の方法で固定される。別の方法の一例として、接着剤によりガード部材１１（１２）と下部筐体３を固定する方法が挙げられる。
【００７８】
支持部材７１の下部筐体３への固定は、支持部材７１と別体の部材で固定してもよい。一例として、該別体の部材は、一端部を下部筐体３に固定し、他端部を支持部材７１の上壁部７１１又は側壁部７１２と固定する方法がある。該別体の部材の他端部を上壁部７１１に固定する方法の場合、側壁部７１２は設けなくてもよい。
【００７９】
上記実施形態では電池は点火のみに用いられているが、ガス開閉用の電磁弁の起電力用等に用いてもよい。また、電池は乾電池のような一次電池に限らず蓄電池であってもよい。
【符号の説明】
【００８０】
１        ガス炊飯器
３        下部筐体
１０      電池ケース
３４      開口部
１０２    装着口
【図１】
2020010928.tif 000003
【図２】
2020010928.tif 000004
【図３】
2020010928.tif 000005
【図４】
2020010928.tif 000006
【図５】
2020010928.tif 000007
【図６】
2020010928.tif 000008
【図７】
2020010928.tif 000009
【図８】
2020010928.tif 000010
【図９】
2020010928.tif 000011
【図１０】
2020010928.tif 000012
【図１１】
2020010928.tif 000013